(57)【要約】【課題】ガス供給が遮断された時に、その詳細な遮断の要因を報知することが可能なガスメータを提供する。【解決手段】ガスメータ１は、ガス供給の安全性を判断し、異常を検知する複数の検知手段１２Ａ，１２Ｂ，１２Ｃ，．．．と、そのいずれかの検知手段によって異常が検知された時と遮断操作がなされた時に、ガス供給を遮断する遮断手段１４Ａと、遮断の詳細な要因として、複数の検知手段１２Ａ，１２Ｂ，１２Ｃ，．．．のうちの異常を検知した検知手段に対応する情報、或いは実行された遮断操作に対応する情報を報知する報知手段１３Ａと、を備える。【選択図】図２
2006017515.tif 000002
【特許請求の範囲】
【請求項１】
ガス供給の安全性を判断し、異常を検知する複数の検知手段と、該検知手段によって異常が検知された時と遮断操作がなされた時に、ガス供給を遮断する遮断手段と、遮断の詳細な要因として、前記複数の検知手段のうちの異常を検知した検知手段又は実行された遮断操作に対応する情報を報知する報知手段と、を備えたことを特徴とするガスメータ。
【請求項２】
前記報知手段は、前記遮断の詳細な要因を表示する表示手段であることを特徴とする請求項１に記載のガスメータ。
【請求項３】
前記報知手段は、前記遮断の詳細な要因として、所定の優先順序に基づいて、過去に異常を検知した検知手段及び過去に実行された遮断操作の中から、優先順位の高い検知手段又は遮断操作に対応する情報を報知することを特徴とする請求項１又は２に記載のガスメータ。
【請求項４】
前記所定の優先順序は、ガス供給遮断を復帰させる条件の禁止順序であることを特徴とする請求項３に記載のガスメータ。
【請求項５】
前記遮断手段によってガス供給が遮断されてからガス供給を復帰する操作がなされた時に、前記複数の検知手段による検知及び実行された遮断操作に基づいて、復帰を実行してよいかを確認する復帰確認手段をさらに備え、前記報知手段は、前記遮断の詳細な要因として、前記復帰確認手段で復帰を確認中に復帰が不可であると判断された場合、復帰不可の要因の情報である、前記複数の検知手段のうちの異常を検知した検知手段又は実行された遮断操作に対応する情報を報知することを特徴とする請求項１乃至４のいずれか１項に記載のガスメータ。
【発明の詳細な説明】
【技術分野】
【０００１】
本発明は、ガスメータに関し、より詳細には、遮断機能を有するガスメータに関する。
【背景技術】
【０００２】
従来から、ガスメータとして、ガスの供給に係る各種機能を実現するための所定のプログラムに従って動作するマイクロコンピュータ（以下、マイコンという）を内蔵し、このマイコンで制御される所謂マイコンメータが使用されている。この各種機能には、例えば、保安上重要な遮断機能の他に、消費者の利便性のための機能や、ガス業者にとって作業効率の向上を図るための機能などが含まれ、ユーザが使用するガス機器などの使用環境に合わせて、適宜必要な機能が選択され設定される。このときの設定データは、マイコン内のメモリに記憶され、この設定に従ってガスメータが備える各種機能が実行されることになる。
【０００３】
上述の各種機能のうち、ガス供給の遮断機能を備えたガスメータにあっては、遮断が何によって発生したかをガス事業者やガス使用者に提示するために、ガスメータの表示部にこの発生事象に大まかに対応した表示が行われている。ここで、現状のマイクロコンピュータを搭載したガスメータ（マイコンメータ）では、ＡＢＣ表示で表示内容の表示が行われている。
【０００４】
図９は、従来技術のガスメータにおけるガス供給遮断時の表示部での表示を示す図である。従来のガスメータにおける遮断事項表示処理では、遮断事項が発生したか否かを判断することによって、発生していればその遮断事象を表示部に表示し、発生していなければ処理を終了している。例えば、テスト遮断，感震器遮断，警報器遮断のいずれかであれば、「Ｂ，Ｃ，ガス止」を図９のように表示部３０のＡＢＣ表示領域３１に表示し、電池電圧低下遮断であれば、「Ａ，ガス止」を表示部３０のＡＢＣ表示領域３１に表示する。
【０００５】
また、遮断機能を持ったガスメータとしては、センタからの遮断時に、弁開操作できないようにして安全性を高めたガスメータが提案されている（例えば、特許文献１を参照）。特許文献１に記載のガスメータにおいては、センタからの遮断命令である場合には再びセンタから弁開を許可する命令が送られない限り弁開を禁止としている。この処理では、弁開操作を行ったかを判断し、弁開操作が行われた時点で弁開条件が禁止となっているか否かを判断し、禁止になっていない時のみ復帰処理を可能としている。
【特許文献１】特公平３−２６６２４号公報
【発明の開示】
【発明が解決しようとする課題】
【０００６】
しかしながら、従来、遮断時には表示部に発生事象に大まかに対応した表示がなされるが、異なる種類の遮断が発生しても同じ表示である場合が多く、数ある中でどの発生事象によって生じた遮断であるかの詳細が表示されるわけではないので、発生事象の詳細が判らない。従って、ガスメータが何らかの要因で遮断した場合には、遮断要因の確定に時間を要するため、弁開までの作業効率が悪く、ガス使用者宅でガスが使えない状態が続き、ガス使用者宅に多大な迷惑がかかるという問題がある。このことは、現状のマイコンメータで表示する表示内容（ＡＢＣ表示）にあっては特に顕著な問題となる。
【０００７】
また、従来、遮断時には表示部に最新の発生事象に対応した表示しか行われていないため、すなわち後事象表示優先となっているため、ガスメータの遮断中にさらに別の遮断事象が１又は複数発生した場合には、ガス事業者は、先に起こった遮断事象を復帰させるべきなのか、後に発生した遮断事象を復帰させるべきなのかが表示部の表示だけでは判らない。従って、遮断要因の確定に時間を要することとなり、弁開までの作業効率が悪く、ガス使用者宅でガスが使えない状態が続き、ガス使用者宅に多大な迷惑がかかるという問題がある。このことは、現状のマイコンメータで表示する表示内容（ＡＢＣ表示）にあっては特に顕著な問題となる。
【０００８】
本発明は、上述のごとき実情に鑑みてなされたものであり、ガス供給が遮断された時に、その詳細な遮断の要因を報知することが可能なガスメータを提供することをその目的とする。
【０００９】
また、本発明は、ガス供給が遮断された時に、複数の要因によって遮断された場合であっても、復帰の際に必要となる要因を優先して報知することが可能なガスメータを提供することを他の目的とする。
【００１０】
また、本発明は、ガス供給が遮断され、復帰操作を行った時に、復帰が完了しない要因が発生してもその復帰不可要因を報知することが可能なガスメータを提供することを他の目的とする。
【課題を解決するための手段】
【００１１】
本発明は、上述のごとき課題を解決するために、以下の各技術手段により構成される。
第１の技術手段は、ガス供給の安全性を判断し、異常を検知する複数の検知手段と、該検知手段によって異常が検知された時と遮断操作がなされた時に、ガス供給を遮断する遮断手段と、遮断の詳細な要因として、前記複数の検知手段のうちの異常を検知した検知手段又は実行された遮断操作に対応する情報を報知する報知手段と、を備えたことを特徴としたものである。
【００１２】
第２の技術手段は、第１の技術手段において、前記報知手段は、前記遮断の詳細な要因を表示する表示手段であることを特徴としたものである。
【００１３】
第３の技術手段は、第１又は第２の技術手段において、前記報知手段は、前記遮断の詳細な要因として、所定の優先順序に基づいて、過去に異常を検知した検知手段及び過去に実行された遮断操作の中から、優先順位の高い検知手段又は遮断操作に対応する情報を報知することを特徴としたものである。
【００１４】
第４の技術手段は、第３の技術手段において、前記所定の優先順序は、ガス供給遮断を復帰させる条件の禁止順序であることを特徴としたものである。
【００１５】
第５の技術手段は、第１乃至第４のいずれかの技術手段において、前記遮断手段によってガス供給が遮断されてからガス供給を復帰する操作がなされた時に、前記複数の検知手段による検知及び実行された遮断操作に基づいて、復帰を実行してよいかを確認する復帰確認手段をさらに備え、前記報知手段は、前記遮断の詳細な要因として、前記復帰確認手段で復帰を確認中に復帰が不可であると判断された場合、復帰不可の要因の情報である、前記複数の検知手段のうちの異常を検知した検知手段又は実行された遮断操作に対応する情報を報知することを特徴としたものである。
【発明の効果】
【００１６】
本発明によれば、ガス供給が遮断された時に、その詳細な遮断の要因を報知することが可能となる。
【００１７】
また、本発明によれば、ガス供給が遮断された時に、複数の要因によって遮断された場合であっても、復帰の際に必要となる要因を優先して報知することが可能となる。
【００１８】
また、本発明によれば、ガス供給が遮断され、復帰操作を行った時に、復帰が完了しない要因が発生してもその復帰不可要因を報知することが可能となる。
【００１９】
さらに、本発明によれば、上述のごとき効果によって、作業者の遮断対応から弁開までの作業効率向上とガス使用者宅でのガス使用の利便性、安全性の向上を図ることが可能となる。
【発明を実施するための最良の形態】
【００２０】
図１は、本発明の一実施形態に係るガスメータの一構成例を示す図で、一般的なマイコンメータの一構成例を示す図でもある。図１において、１はガスメータ、２は外部装置、１０は制御部、１１は計量部、１２はセンサ部、１３は表示部、１４は遮断部、１５は端子台、２１は宅内操作器、２２はＮＣＵ、２３はガス洩れ警報器、２４は外部１機器（外部端子１の機器）、２５は外部２機器（外部端子２の機器）であり、１０ａはマイクロコンピュータ（以下、マイコンという）、１０ｂはインタフェース、１０ｃは電池、１０ｄはテスト遮断スイッチ、１０ｅは容器リセットスイッチ、１１ａは計量機能、１２ａは電圧検出センサ、１２ｂは流量センサ、１２ｃは圧力センサ、１２ｄは感震器、１３ａは積算表示機能、１３ｂはセキュリティ表示機能、１３ｃはサブカウンタ表示機能、１４ａは双方向遮断弁、１４ｂは遮断弁開スイッチである。
【００２１】
ガスメータ１は、ガスメータ１における各種制御を行う制御部１０、ガス流量を計量すする計量部１１、センサ部１２、表示部１３、及び遮断部１４を備え、さらに、外部装置２との接続を行う端子台１５を備える。
【００２２】
計量部１１は、ガス流量に応じた回転体の回転数又は流体振動を出力する計量機能１１ａからなる。また、センサ部１２は、ガス流量やセキュリティに関係する物理量を検出するセンサ類からなり、電池１０ｃの電圧を検出する電圧検出センサ１２ａ、計量機能１１ａの出力を検出する流量センサ１２ｂ、ガス圧力低下などガス圧力を検知する圧力センサ１２ｃ、地震波等の振動を検知する感震器１２ｄ等から構成されている。なお、流量センサ１７は、流量を検出するためのセンサで、勿論、流速センサであってマイコン１０ａにて流量に演算するものであってもよいし、流量演算器（流量変換器）を介してマイコン１０ａに流量を送信するものであってもよい。
【００２３】
また、制御部１０は、主として、取り込まれたセンサの信号を演算処理して処理データを収納し、表示部１３に出力したり端子台１５を介して外部に出力するもので、マイコン１０ａ、インタフェース１０ｂ、電源となる電池１０ｃ、双方向遮断弁１４ａが正常に機能するかをテストするためのテスト遮断スイッチ１０ｄ、容器リセットスイッチ１０ｅ等から構成されている。なお、電池１２は少なくとも制御部１０の電源となるものである。また、マイコン１０ａは、流量センサ１２ｂへ命令し流量センサ１２ｂからの流量検出信号に基づいて流量を計測して積算する処理を行う電子制御装置であり、演算処理をするＭＰＵと、それら各手段としてＭＰＵを機能させるためのプログラムを記録し処理データを記録するメモリとで構成される。また、マイコン１０ａによって、本発明に係る弁復帰ヘルプ処理が主として制御され、例えばそのメモリに後述する検知事項や操作事項に対応する表示記号などが格納され、読み出される。
【００２４】
また、表示部１３は、制御部１０により処理されたデータを所定のプログラムまたは外部からの指令に従って表示するＬＣＤ（液晶表示器）等の表示装置であり、ガス流量の積算表示機能１３ａ，セキュリティ表示機能１３ｂ，サブカウンタ表示機能１３ｃ等をもっている。また、遮断部１４は、センサ部１２の信号による異常等が生じたとき、制御部１０のマイコン１０ａからの命令により制御弁を遮断するもので、制御弁としての双方向遮断弁１４ａ，遮断弁開スイッチ１４ｂ等とから構成されている。
【００２５】
一方、外部装置２は、端子台１５を介してガスメータ１の外部に接続される機器類であり、例えば、宅内でガスメータ１の操作を行う宅内操作器２１、ガスメータ１との間で発呼，選択信号の送出，切断など電話交換網を制御するＮＣＵ２２、ガスメータ１におけるガス洩れを警報するガス洩れ警報器２３、及びハンディターミナルやＰＣ（パーソナルコンピュータ）等、その他の外部機器（ここでは外部１機器２４及び外部２機器２５）が設けられている。
【００２６】
ＮＣＵ２２は、ガスメータ１の通信機能（自動通報，遠隔遮断，自動検針など）を行うためガス検針センタなどとガスメータ１を電話回線で接続する機器であり、電話機とガスメータ１を自動的に切り替えてガスメータ１のデータの送受信を行う。ＮＣＵ２２は通常、Ｎライン通信端子（Ｎライン通信ポート）に接続される。ハンディターミナルやＰＣは、検針器や設定器として用いられるものであり、設定器は、設置されているガスメータの設定変更や確認などを行う機器である。設定，確認が行われる項目には、継続使用時間設定、口火登録などあるが、ガス事業者の運用形態によりその仕様は決定される。
【００２７】
以上のように構成されたガスメータ１が、ガスラインに設置され、遮断弁開スイッチ１４ｂがＯＮ（閉路）されると、自己保持により弁開を継続し、ガス流量計測が開始される。内蔵された圧力センサ１２ｃにより検知された圧力データは、制御部１０に取り込まれて演算処理され、定められたプログラムに従って上述した圧力センサ１２ｃに与えられたセキュリティ機能を判断して計測を継続するか、遮断弁を閉止し、警報を発するか等が指令される。現在のガス圧力を計測する場合は、遮断弁開スイッチ１４ｂを押すことにより、所定時間、例えば１０秒間現在のガス圧を表示部１３に表示することができる。
【００２８】
図２は、本発明の一実施形態に係るガスメータにおけるガス供給遮断及び復帰支援手段を説明するためのブロック図で、図３は、本発明に係るガスメータにおいてガス供給遮断となる事象及び表示例を示す図である。図２において、１はガスメータ、１２Ａは検知手段Ａ、１２Ｂは検知手段Ｂ、１２Ｃは検知手段Ｃ、１３Ａは報知手段、１４Ａは遮断手段である。
【００２９】
本発明に係るガスメータ１は、複数の検知手段１２Ａ，１２Ｂ，１２Ｃ，．．．、遮断手段１４Ａ、及び報知手段１３Ａを少なくとも備えるものとする。本発明に係るガスメータ１は、これらの各手段によって、何らかの異常によって遮断弁が閉じられた後に、弁を開ける時のヘルプ機能として情報を表示することが可能となっており、この機能は弁復帰ヘルプ表示機能とも謂える。
【００３０】
各検知手段は、ガス供給の安全性を判断し、異常を検知する手段であり、また、検知手段の数は任意であり、図１での各種センサ１２ａ，１２ｂ，１２ｃ，１２ｄやそれらの検出を制御などするマイコン１０ａ等がこれに該当する。遮断手段１４Ａは、そのいずれかの検知手段によって異常が検知された時と遮断操作がなされた時に、ガス供給を遮断する手段であり、図１での双方向遮断弁１４ａやそれを制御などするマイコン１０ａ等がこれに該当する。
【００３１】
報知手段１３Ａは、遮断の詳細な要因として、複数の検知手段１２Ａ，１２Ｂ，１２Ｃ，．．．のうちの異常を検知した検知手段（例えば検知手段１２Ｂ）に対応する情報、或いは、実行された遮断操作に対応する情報を報知する手段であり、図１でのセキュリティ表示機能１３ｂやサブカウンタ表示機能１３ｃを用いて遮断の詳細な要因を表示するか、スピーカなどで音により警告を鳴らしたりする。しかしながら、報知手段１３Ａは、遮断の詳細な要因を表示する表示手段であることが、ガスメータ１の設置場所を鑑みると好ましい。また、遮断の詳細な要因の表示は、文字で行ってもよいが、表示手段を安価なものとするために、他の実施形態で後述する記号を、サブカウンタ表示機能１３ｃを利用してサブカウンタに表示することが好ましい。
【００３２】
ここで、遮断の要因となる事象としては、図３（Ａ）に示すように、遮断弁の故障によるもの、遮断弁が動かないもの、ガス事業者やガス使用者等の人が操作により行うもの、センサ類（マイコン外部のセンサ類）による遮断、及び流量によるものに、大きく分類される。
【００３３】
遮断弁が動かないという事象は、ＣＰＵ側／遮断弁側において電池電圧低下による検知、センタ命令によるセンタ操作、及び漏洩検査中である検査員の操作が挙げられ、それぞれ、例えば「Ｆ−１１」（「Ｆ−１１1」／「Ｆ−１１2」）、「Ｆ−１２」、及び「Ｆ−１３」とサブカウンタに表示すればよい。なお、これらに対しては、従来のＡＢＣ表示に従い、それぞれ「Ａ，ガス止」、「ガス止」、及び「Ａ，ガス止，Ｒ」の表示がメインのセキュリティ表示部になされる。
【００３４】
人が行う遮断の事象は、テスト遮断スイッチ１０ｄの押下操作によるテスト遮断操作、宅内操作器２１による宅内からの遠隔閉操作、Ｈラインを介した緊急遮断操作、及びＮラインを介した緊急遮断操作が挙げられ、それぞれ、例えば「Ｆ−２１」、「Ｆ−２２」、「Ｆ−２３」、及び「Ｆ−２４」とサブカウンタに表示すればよい。なお、これらに対しては、従来のＡＢＣ表示に従い、それぞれ「Ｂ，Ｃ，ガス止」、「ガス止」、「ガス止」、及び「Ｂ，Ｃ，ガス止」の表示がメインのセキュリティ表示部になされる。
【００３５】
外部センサ遮断の事象は、圧力センサ１２ｃによる圧力低下検知、感震器１２ｄによる地震検知、警報器２３による警報検知、及び外部２機器２５等に接続された第二警報器による警報検知が挙げられ、それぞれ、例えば「Ｆ−３１」、「Ｆ−３２」、「Ｆ−３３」、及び「Ｆ−３４」とサブカウンタに表示すればよい。なお、これらに対しては、従来のＡＢＣ表示に従い、それぞれ「Ｂ，Ｃ，ガス止，Ｐ」、「Ｂ，Ｃ，ガス止」、「Ｂ，Ｃ，ガス止」、及び「Ｂ，Ｃ，ガス止」の表示がメインのセキュリティ表示部になされる。
【００３６】
流量による遮断の事象としては、全て流量センサ１２ｂ等による検知であり、復帰安全確認中の漏洩検知、合計流量が閾値を越えたことの検知、増加流量が閾値を越えたことの検知、継続使用時間が閾値を越えたことの検知、及びそれらの検知によって行われるべき遮断が行われなかったことの異常検知が挙げられ、それぞれ、例えば「Ｆ−４１」、「Ｆ−４２」、「Ｆ−４３」、「Ｆ−４４」、及び「Ｆ−４５」とサブカウンタに表示すればよい。なお、これらに対しては、従来のＡＢＣ表示に従い、それぞれ「Ｂ，Ｃ，ガス止」、「Ｃ，ガス止」、「Ｃ，ガス止」、「Ａ，Ｃ，ガス止」、及び「Ａ，Ｂ，Ｃ」の表示がメインのセキュリティ表示部になされる。
【００３７】
また、上述のごとき検知や操作による事象によって生じた遮断は、サブカウンタの表示を見てその要因が判るので復帰に時間を要さない。遮断状態で復帰操作して表示がなくなった場合に、弁が開状態でなければ遮断弁の故障である。
【００３８】
図４及び図５は、上述した本発明の一実施形態に係るガスメータを説明するための図で、図４は、図２のガスメータにおける弁復帰ヘルプ表示処理例を説明するためのフロー図で、図５は、図２のガスメータにおける弁復帰ヘルプ表示部の表示例を説明するための図である。図５において、３０はセキュリティ表示機能１３ｂとしてのセキュリティ表示部であり、３１はメイン画面であってＡＢＣ表示領域を指し、３２はサブカウンタ表示機能１３ｃとしてのサブカウンタ表示画面であって遮断詳細要因表示領域を指す。
【００３９】
上述のごとき構成によって、ガスメータ１は、まず、遮断事象が発生したか否かを判定し（ステップＳ１）、発生していなければ処理を終了する。一方、発生していれば遮断事象をＡＢＣ表示でセキュリティ表示部３０中のメイン画面３１に表示する（ステップＳ２）。ここでは、例えば、図５（Ａ）のごときテスト遮断、図５（Ｂ）のごとき感震器遮断、及び図５（Ｃ）のごとき警報器遮断によるものであれば、いずれも「Ｂ，Ｃ，ガス止」とＡＢＣ表示する。ステップＳ２の後、セキュリティ表示部３０中のサブカウンタ表示画面３２に、例えば、図５（Ａ）のごときテスト遮断によるものであれば「Ｆ−２１」、図５（Ｂ）のごとき感震器遮断によるものであれば「Ｆ−３２」、図５（Ｃ）のごとき警報器遮断によるものであれば「Ｆ−３３」と表示する。このように、遮断詳細要因は、ＡＢＣ表示だけでは判らないがサブカウンタ表示によって判るようになる。
【００４０】
以上、本実施形態によれば、ガス供給が遮断された時に、その詳細な遮断の要因を報知することが可能となり、遮断要因に対する対応が効率よく行えるので、結果として、作業者の遮断対応から弁開までの作業効率向上とガス使用者宅でのガス使用の利便性、安全性の向上を図ることが可能となる。
【００４１】
図６は、本発明の他の実施形態に係るガスメータを説明するための図で、図２のガスメータにおける弁復帰ヘルプ表示部の他の表示例を説明するための図である。
【００４２】
本発明の他の実施形態として、図１乃至図５で説明した報知手段１３Ａを次のように改良することが好ましい。すなわち、本実施形態における報知手段１３Ａは、遮断の詳細な要因として、所定の優先順序に基づいて、過去に異常を検知した検知手段及び過去に実行された遮断操作の中から、優先順位の高い検知手段又は遮断操作に対応する情報を報知するようにする。
【００４３】
ここで所定の優先順位は、ガス供給遮断を復帰させる条件の禁止順序であることが好ましい。この禁止順序としては、図３（Ａ）の最左に示した順位で、遮断弁の故障による事象を最優先にして、「Ｆ−」の枝番が若い方をより優先させて表示させるようにするとよい。報知手段１３Ａで弁開条件の禁止順序に対応した遮断詳細要因を報知することにより、弁開操作時に弁開禁止であった場合の要因に作業者が容易に対応可能として、作業効率向上を図ることが可能となる。
【００４４】
上述のごとき構成によって、ガスメータ１は、図４と同様の処理を行うが、ステップＳ３の遮断詳細要因表示における表示方法が異なる。この遮断詳細要因表示においては、過去に異常を検知した検知手段及び過去に実行された遮断操作の中から、優先順位の高い要因を表示することとなる。例えば、センタ遮断によって遮断が実行され、その後にテスト遮断によって遮断操作がなされた（実際には操作のみで既に遮断されている）とする。
【００４５】
この場合、図１乃至図５で説明した実施形態にあっては、まず、センタ遮断がなされた時点で、センタ遮断に対応する情報として、ＡＢＣ表示による「ガス止」がメイン画面３１に表示され、「Ｆ−１２」がサブカウンタ表示画面３２に表示されることとなり、その後、テスト遮断がなされた時点で、テスト遮断に対応する情報として、ＡＢＣ表示による「Ｂ，Ｃ，ガス止」がメイン画面３１に表示され、「Ｆ−２１」がサブカウンタ表示画面３２に表示されることとなる。しかしながら、テスト遮断を解除してもセンタ遮断が優先され、遮断が解除できなくなっているため、テスト遮断に対応する要因を遮断詳細要因として表示しても復帰に手間取ることとなる。
【００４６】
従って、本実施形態では、テスト遮断がなされた時点で、少なくともサブカウンタ表示画面３２における遮断詳細要因の表示では、過去に行われたセンタ遮断に対応する情報「Ｆ−１２」を表示したままとする。このようにすることで、「Ｆ−１２」の解除が必要であるということが判るので、遮断要因に対する対応が効率良く行える。なお、ＡＢＣ表示もそれに合わせてもよいが、サブカウンタでの表示が存在するので、後事象を優先した表示のままでもよい。
【００４７】
以上、本実施形態によれば、ガス供給が遮断された時に、複数の要因によって遮断された場合であっても、復帰の際に必要となる要因を優先して報知することが可能となり、結果として、作業者の遮断対応から弁開までの作業効率向上とガス使用者宅でのガス使用の利便性、安全性の向上を図ることが可能となる。
【００４８】
図７及び図８は、本発明の他の実施形態に係るガスメータを説明するための図で、図７は、図２のガスメータにおける弁復帰ヘルプ表示処理の他の例を説明するためのフロー図、図８は、図２のガスメータにおける弁復帰ヘルプ表示部の他の表示例を説明するための図である。
【００４９】
さらに、本発明の他の実施形態として、図１乃至図６で説明した各実施形態において、復帰確認手段（図示せず）を図２のガスメータ１にさらに備えることが好ましい。この復帰確認手段は、遮断手段１４Ａによってガス供給が遮断されてからガス供給を復帰する操作がなされた時に、複数の検知手段１２Ａ，１２Ｂ，１２Ｃ，．．．による検知及び実行された遮断操作に基づいて、復帰を実行してよいかを確認する手段である。一般的に、マイコンメータでは遮断弁が遮断した後に手動操作等によって復帰処理を行うが、この復帰処理時に例えばガスコックやガス器具が開放した状態であったとすると、ガスの流出が生じるので、所定期間の復帰確認検査が行われる。この復帰確認検査を行う手段が復帰確認手段となる。なお、本実施形態において、検知手段による検知としては流量による遮断や外部センサ遮断が主に挙げられ、また、実行された遮断操作としては主にセンタ遮断が挙げられる。
【００５０】
そして、本実施形態の特徴部分である報知手段１３Ａは、遮断の詳細な要因として、復帰確認手段で復帰を確認中に復帰が不可であると判断された場合、復帰不可の要因の情報である、複数の検知手段１２Ａ，１２Ｂ，１２Ｃ，．．．のうちの異常を検知した検知手段又は実行された遮断操作に対応する情報を報知する。すなわち、本実施形態における報知手段１３Ａは、弁開操作時の復帰確認不可要因を報知する。
【００５１】
上述のごとき構成によって、ガスメータ１は、まず、弁開操作がなされたか否かを判定し（ステップＳ１１）、操作がなされるまで待つ。弁開操作がなされれば、弁開条件が禁止である（復帰が不可である）か否かを判定する（ステップＳ１２）。復帰が不可でなければ復帰処理を実行し（ステップＳ１４）、処理を終了する。一方、復帰が不可であれば、遮断詳細要因（ここでは、復帰確認不可要因に値する）を表示して（ステップＳ１３）、処理を終了する。
【００５２】
図８を参照して例示すると、まず、テスト遮断が行われ、遮断弁が遮断されたとする。この時、「Ｂ，Ｃ，ガス止」とメイン画面３１にＡＢＣ表示すると共に、遮断詳細要因としてテスト遮断に対応する情報「Ｆ−２１」をサブカウンタ表示画面３２に表示する。そして、弁開操作がなされると、復帰確認が行われる。復帰確認中は、サブカウンタ表示画面３２には、例えば、確認に必要な残り時間をカウントダウン方式で「３０」秒，「２９」秒，．．．，「０」秒などと表示するようにしてもよい。この間に復帰が完了すれば、メイン画面３１及びサブカウンタ画面３２ともに表示を消す。一方、この間の復帰確認によって復帰が不可と判定された場合には、ＡＢＣ表示は上述のテスト遮断による遮断詳細要因の表示のままにして、サブカウンタ表示画面３２で復帰確認不可要因を表示する。図８の例では、復帰確認不可要因として、「Ｈ−１１」が表示されているが、これは図３（Ｂ）で示した表示に基づく記号となっている。図３（Ｂ）には、復帰安全確認中から復帰完了しない事象として、弁開スイッチ押下中によるもの、及び宅内開状態であるものに対し、それぞれ、「Ｈ−１１」、及び「Ｈ−１２」を割り当てている。また、ここでも図６での実施形態に習い、優先順位を付けておくことが好ましく、例えば「Ｈ−１１」の方を優先して表示するとよい。このように、復帰確認中（例えば３０秒〜０秒の間）に弁開スイッチが押されていたら、「Ｈ−１１」と表示し、復帰確認不可要因がサブカウンタ表示によって判るようになっている。ガス事業者やガス使用者は、「Ｈ−１１」が表示されていれば、弁開スイッチが押されているから弁が開かないことを理解できる。
【００５３】
以上、本実施形態によれば、ガス供給が遮断され、復帰操作を行った時に、復帰が完了しない要因が発生してもその復帰不可要因（弁開動作不可要因）を報知することが可能となり、結果として、作業者の遮断対応から弁開までの作業効率向上とガス使用者宅でのガス使用の利便性、安全性の向上を図ることが可能となる。
【図面の簡単な説明】
【００５４】
【図１】本発明の一実施形態に係るガスメータの一構成例を示す図である。
【図２】本発明の一実施形態に係るガスメータにおけるガス供給遮断及び復帰支援手段を説明するためのブロック図である。
【図３】本発明に係るガスメータにおいてガス供給遮断となる事象及び表示例を示す図である。
【図４】本発明の一実施形態に係るガスメータを説明するための図で、図２のガスメータにおける弁復帰ヘルプ表示処理例を説明するためのフロー図である。
【図５】本発明の一実施形態に係るガスメータを説明するための図で、図２のガスメータにおける弁復帰ヘルプ表示部の表示例を説明するための図である。
【図６】本発明の他の実施形態に係るガスメータを説明するための図で、図２のガスメータにおける弁復帰ヘルプ表示部の他の表示例を説明するための図である。
【図７】本発明の他の実施形態に係るガスメータを説明するための図で、図２のガスメータにおける弁復帰ヘルプ表示処理の他の例を説明するためのフロー図である。
【図８】本発明の他の実施形態に係るガスメータを説明するための図で、図２のガスメータにおける弁復帰ヘルプ表示部の他の表示例を説明するための図である。
【図９】従来技術のガスメータにおけるガス供給遮断時の表示部での表示を示す図である。
【符号の説明】
【００５５】
１…ガスメータ、２…外部装置、１０…制御部、１０ａ…マイクロコンピュータ（マイコン）、１０ｂ…インタフェース、１０ｃ…電池、１０ｄ…テスト遮断スイッチ、１０ｅ…容器リセットスイッチ、１１…計量部、１１ａ…計量機能、１２…センサ部、１２Ａ…検知手段Ａ、１２Ｂ…検知手段Ｂ、１２Ｃ…検知手段Ｃ、１２ａ…電圧検出センサ、１２ｂ…流量センサ、１２ｃ…圧力センサ、１２ｄ…感震器、１３…表示部、１３Ａ…報知手段、１３ａ…積算表示機能、１３ｂ…セキュリティ表示機能、１３ｃ…サブカウンタ表示機能、１４…遮断部、１４Ａ…遮断手段、１４ａ…双方向遮断弁、１４ｂ…遮断弁開スイッチ、１５…端子台、２１…宅内操作器、２２…網制御装置（ＮＣＵ）、２３…ガス洩れ警報器、２４…外部１機器、２５…外部２機器、３０…セキュリティ表示部、３１…メイン画面、３２…サブカウンタ表示画面。
【図１】
2006017515.tif 000003
【図２】
2006017515.tif 000004
【図３】
2006017515.tif 000005
【図４】
2006017515.tif 000006
【図５】
2006017515.tif 000007
【図６】
2006017515.tif 000008
【図７】
2006017515.tif 000009
【図８】
2006017515.tif 000010
【図９】
2006017515.tif 000011